(57)【要約】【課題】余分な注意を払わずに遊技盤が遊技盤収納凹部にスムーズに収納でき、しかも、遊技盤固定装置の簡単な操作により遊技盤の固定が解除できる遊技盤固定装置を提供する。【解決手段】台枠２と、台枠２に軸着され第一弾発手段１５により遊技盤取付面５０から離れるように付勢され遊技盤３３の側縁を受入れる受枠部材４と、台枠２に配置され第二弾発手段２０により中心軸線に沿って一方向へ付勢される可動軸５と、からなり、受枠部材４に切欠１３と凹部１４とを設け、可動軸５に係合溝１９を設け、可動軸５を第二弾発手段２０の付勢に抗して摺動させたとき、受枠部材４が回動すると共に該可動軸５の係合溝１９が該受枠部材４の切欠１３に係合し、受枠部材４を第一弾発手段１５の付勢に抗して回動させたとき、可動軸５の係合溝１９と該受枠部材４の凹部１４とが合致して該可動軸５がその中心軸線に沿って摺動し該受枠部材４の凹部１４が該可動軸５に嵌合する。【選択図】図９
2012080946.tif 000002
【特許請求の範囲】
【請求項１】
遊技機本体の遊技盤収納凹部に遊技盤を着脱自在に装着するために使用する遊技盤固定装置であって、
前記遊技機本体における遊技盤収納凹部の周縁部に固着される台枠と、
固定軸により前記台枠に軸着され前記遊技盤収納凹部の遊技盤取付面に対して直交する面内で回動すると共に常に第一弾発手段により該遊技盤取付面から離れるように付勢され、遊技盤の側縁を受け入れるコ字型の受枠部材と、
前記受枠部材の背部側に隣接しかつ前記固定軸と平行をなすようにして前記台枠に配置される可動軸と、からなり、
前記可動軸はその中心軸線に沿って自在に摺動すると共に第二弾発手段により常に一方向へ付勢され、
前記受枠部材の背部に前記固定軸の中心軸線に対して直交する面内で並ぶ切欠と凹部とを設けると共に前記可動体に該切欠と凹部に向かい合うようにして係合溝を設け、
前記可動軸を第二弾発手段の付勢に抗しその中心軸線に沿って摺動させたときは、前記可動軸の係合溝と前記受枠部材の凹部が合致して該受枠部材が第一弾発手段により回動すると共に該可動軸の係合溝が該受枠部材の切欠に係合し、
前記受枠部材を第一弾発手段の付勢に抗して回動させたときは、前記可動軸の係合溝と前記受枠部材の切欠との係合が外れると共に該可動軸の係合溝と該受枠部材の凹部とが合致して該可動軸が第二弾発手段の付勢によりその中心軸線に沿って摺動し該受枠部材の凹部が該可動軸に嵌合する構成としたことを特徴とする遊技盤固定装置。
【請求項２】
第一弾性手段は固定軸に巻装されるネジリバネであって、前記受枠部材が遊技盤収納凹部に収納された遊技盤の側縁を受け入れたとき、前記ネジリバネの一端が前記遊技盤の裏面に当接してその裏面を押圧するようにした請求項１記載の遊技盤固定装置。
【発明の詳細な説明】
【技術分野】
【０００１】
本発明は、遊技機本体の遊技盤収納凹部に遊技盤を着脱自在に装着するために使用される遊技盤固定装置に関するものである。
【背景技術】
【０００２】
従来、例えば遊技機の一種であるパチンコ遊技機にあって、遊技盤を遊技機本体の前側から装着するタイプのものがある。このパチンコ遊技機では、遊技機本体の前面に遊技盤収納凹部が形成され、遊技盤をパチンコ遊技機の前側からその裏面を遊技盤収納凹部に対向させた状態で該遊技盤収納凹部に押し込むようにして装着される。また、遊技盤収納凹部に収納された遊技盤を固定するため、遊技盤収納凹部の周縁部に遊技盤固定装置が固着されている。
【０００３】
前記遊技盤固定装置は、遊技機本体における遊技盤収納凹部の背面側に支持部を設けると共に該支持部から前方へ回転軸を突設し、該回転軸の前端に鉛直面内で回動する締結レバーを取着した構成からなる。一方、遊技盤の周縁部に、前記遊技盤固定装置に対応位置させて該遊技盤固定装置が通過し得る切欠部を形成してなる。そこで、予め前記遊技盤固定装置における締結レバーを縦方向に沿って配置した状態で、遊技盤を遊技盤収納凹部に収納すると共に切欠部内に遊技盤固定装置が収まるようにする。この際、前記締結レバーは遊技盤の前面より前側に位置し、しかも、その後端面は遊技盤の前面とほぼ一致するようになっている。そして、遊技盤を遊技盤収納凹部に収納させた状態で、前記締結レバーを鉛直面内で回動させその後端面を遊技盤の前面に押圧する。これにより、遊技盤が固定されることになる（例えば、特許文献１参照。）。
【先行技術文献】
【特許文献】
【０００４】
【特許文献１】特開２０１０-１４８９９２号公報（第４−９頁、段落００１７、段落００２７、図５乃至図６）
【発明の概要】
【発明が解決しようとする課題】
【０００５】
しかしながら、遊技盤を遊技盤収納凹部に収納する際に、遊技盤固定装置と切欠部とが一致して通過できるか否かを見なければならない。また、遊技盤固定装置の締結レバーをうっかり横方向に沿って配置したままにしてしまうと、遊技盤を遊技盤収納凹部に収納する際に遊技盤の裏面に締結レバーが当る。このため、遊技盤を遊技盤収納凹部に収納するに余分な注意を払わねばならず、その作業がスムーズに行ない難いといった課題が有る。
【０００６】
また、前記特許文献１のパチンコ遊技機にあっては、遊技盤収納凹部に遊技盤を収納した状態で遊技盤がガタ付かないように、該遊技盤の前面を後方へ強く押し付けるようにして締結レバーを回動させ該遊技盤を固定するようにしているので、逆にその反発力が締結レバーに直接加わることになる。このように、締結レバーに直接強い反発力が加わると、例えば遊技盤を固定する際または遊技盤の固定を解く際に締結レバーが硬くて指先で回動し難いといった課題も有る。
【０００７】
そこで、本発明は上記課題を解決すべくなされたもので、余分な注意を払わずに遊技盤が遊技盤収納凹部にスムーズに収納でき、しかも、遊技盤の固定の解除及び取り外しが極めて簡単に行なえる遊技盤固定装置を提供することを目的とするものである。
【課題を解決するための手段】
【０００８】
かかる目的を達成するため本発明の遊技盤固定装置は、遊技機本体の遊技盤収納凹部に遊技盤を着脱自在に装着するために使用する遊技盤固定装置であって、前記遊技機本体における遊技盤収納凹部の周縁部に固着される台枠と、固定軸により前記台枠に軸着され前記遊技盤収納凹部の遊技盤取付面に対して直交する面内で回動すると共に常に第一弾発手段により該遊技盤取付面から離れるように付勢され、遊技盤の側縁を受け入れるコ字型の受枠部材と、前記受枠部材の背部側に隣接しかつ前記固定軸と平行をなすようにして前記台枠に配置される可動軸と、からなり、前記可動軸はその中心軸線に沿って自在に摺動すると共に第二弾発手段により常に一方向へ付勢され、前記受枠部材の背部に前記固定軸の中心軸線に対して直交する面内で並ぶ切欠と凹部とを設けると共に前記可動体に該切欠と凹部に向かい合うようにして係合溝を設け、前記可動軸を第二弾発手段の付勢に抗しその中心軸線に沿って摺動させたときは、前記可動軸の係合溝と前記受枠部材の凹部が合致して該受枠部材が第一弾発手段により回動すると共に該可動軸の係合溝が該受枠部材の切欠に係合し、前記受枠部材を第一弾発手段の付勢に抗して回動させたときは、前記可動軸の係合溝と前記受枠部材の切欠との係合が外れると共に該可動軸の係合溝と該受枠部材の凹部とが合致して該可動軸が第二弾発手段の付勢によりその中心軸線に沿って摺動し該受枠部材の凹部が該可動軸に嵌合する構成としたことを特徴とする。
【０００９】
第一弾性手段は固定軸に巻装されるネジリバネであって、前記受枠部材が遊技盤収納凹部に収納された遊技盤の側縁を受け入れたとき、前記ネジリバネの一端が前記遊技盤の裏面に当接してその裏面を押圧するようにすることが好ましい。
【発明の効果】
【００１０】
本発明に係る遊技盤固定装置は、可動軸を第二弾発手段の付勢に抗しその中心軸線に沿って摺動させたときは、可動軸の係合溝と受枠部材の凹部が合致して該受枠部材が第一弾発手段により回動すると共に該可動軸の係合溝が該受枠部材の切欠に係合し、受枠部材を第一弾発手段の付勢に抗して回動させたときは、可動軸の係合溝と受枠部材の切欠との係合が外れると共に該可動軸の係合溝と該受枠部材の凹部とが合致して該可動軸が第二弾発手段の付勢によりその中心軸線に沿って摺動し該受枠部材の凹部が該可動軸に嵌合する構成とした。これにより、遊技盤の収納がその側縁を受枠部材に受け止めさせるようにして押し込むのみで済み、余分な注意を払わずにスムーズに行なえるという効果を奏する。また、可動軸を指先で押すのみで可動軸と受枠部材との係合が外れると共に遊技盤がその側縁を前側に押出されるので、該遊技盤の固定の解除及び取り外しが極めて簡単に行なえるという効果を有する。
【００１１】
また、前記受枠部材が遊技盤収納凹部に収納された遊技盤の側縁を受け入れたとき、第一弾発手段であるネジリバネの一端が遊技盤の裏面に当接してその裏面を押圧するので、遊技盤の側縁が受枠部材とネジリバネとで挟まれしっかりと固定されることになり、該遊技盤のガタ付きを押さえることができる。
【図面の簡単な説明】
【００１２】
【図１】本発明に係る遊技盤固定装置の斜視図。
【図２】同分解斜視図。
【図３】（イ）は遊技盤固定装置の正面図、（ロ）は同作用を示す正面図。
【図４】（イ）は図３（イ）のＸ−Ｘ線断面図、（ロ）は図３（ロ）のＹ−Ｙ線断面図。
【図５】本発明に係る遊技盤固定装置が適用されるパチンコ遊技機の正面図。
【図６】透明板保持枠を開け遊技盤を外した状態の同パチンコ遊技機の正面図。
【図７】同パチンコ遊技機における遊技盤固定装置部位の拡大斜視図。
【図８】（イ）（ロ）は遊技盤の一側縁を押込む状態を示す遊技盤収納凹部の平面図。
【図９】（イ）（ロ）は遊技盤の他側縁を押込む状態を示す遊技盤収納凹部の平面図。
【図１０】（イ）（ロ）は遊技盤の他側縁を押込む状態を示す遊技盤収納凹部の正面図。
【図１１】遊技盤収納凹部に遊技盤を収納した状態のパチンコ遊技機の正面図。
【発明を実施するための形態】
【００１３】
以下、本発明に係る遊技盤固定装置の最良の実施の形態を、図面に基づき詳しく説明する。本発明に係る遊技盤固定装置が適用される遊技機には、例えばパチンコ遊技機、アレパチ遊技機、雀球遊技機などの遊技機に使用できるが、このうち、本発明にあってはパチンコ遊技機に適用される場合について説明する。また、一般に遊技機にあっては、遊技盤収納凹部を遊技機本体の前面に形成し遊技盤を該遊技機本体の前側から収納するタイプと、逆に遊技盤収納凹部を遊技機本体の後面に形成し遊技盤を該遊技機本体の後側から収納するタイプと、があるが、本発明に係る遊技盤固定装置はいずれの遊技機についても適用でき、そのうち遊技盤収納凹部が遊技機本体の前面に形成されている場合について説明する。
【００１４】
本発明に係る遊技盤固定装置について説明する前に、先に本発明が適用されるパチンコ遊技機について説明しておく。図５は本発明に係る遊技盤固定装置が適用されるパチンコ遊技機の正面図、図６は透明板保持枠を開け遊技盤を外した状態の同パチンコ遊技機の正面図である。パチンコ遊技機Ｐは、遊技機本体Ｐ１と該遊技機本体Ｐ１の前面にその一側を軸着して開閉自在に装着される透明板保持枠３０とから構成される。
【００１５】
前記遊技機本体Ｐ１は、長方形状の機枠３１の前面にその一側を軸着して本体枠３２が開閉自在に装着される。本体枠３２の前面上部に、後方へ窪んで遊技盤３３をその前側から装着または取り外すことができる方形状の遊技盤収納凹部３４が形成されている。また、本体枠３２の前面下部に、その一側に寄せて打球発射レール３５及び該打球発射レール３５に供給される遊技球を前記遊技盤３３の遊技部３３ａに打ち込むための打球発射装置３６が配置される。更に、その他側には、零れ球やファール球を受け入れ後記する下球皿３８に排出する遊技球集合通路樋３７が配置される。本体枠３２の前面下部に、下球皿３８が装着されると共にその一側に前記打球発射レール３５から発射される遊技球の打球力を調整するための打球力調整ハンドル３９が装着される。
【００１６】
遊技盤３３の前面に盤面部品である内側ガイドレール４０ａと外側ガイドレール４０ｂが略渦巻き状に敷設され、該内側・外側ガイドレール４０ａ，４０ｂに囲まれて遊技部３３ａが形成される。この遊技部３３ａには、その中央部に盤面部品として図柄を変動表示する可変表示装置４１が配設され、その下方に遊技球の入賞により該可変表示装置４１を作動する始動入賞口４２が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる大型の入賞装置４３が配設されている。遊技部３３ａの中央最下部に、アウト球を遊技盤３３の後側へ排出するためのアウト球排出口４４が開設される。なお、図中４５は通常入賞口、４６は遊技球の流下方向を変更させ遊技の面白みを高める風車である。
【００１７】
前記透明板保持枠３０は、遊技盤３３の前面を覆うようにして前記本体枠３２の前面上部に装着される。透明板保持枠３０は前面に遊技盤３３の遊技部３３ａを覗く窓開口４７が開設され、その後側に該窓開口４７を塞ぐようにして一対の透明板を平行に配設してなる透明板ユニット４８が装着されている。また、透明板保持枠３０の前面下部に、賞球としての遊技球を貯留し前記打球発射レール３５に供給するための上球皿４９が装着される。そして、上球皿４９から打球発射レール３５に供給された遊技球はその発射位置に停止し、その状態で打球力調整ハンドル３９を所望の位置まで回動することにより、打球発射装置３６が作動して打球発射レール３５の上面に停止する遊技球を打球する。これにより、該遊技球は内側・外側ガイドレール４０ａ，４０ｂ間を飛走して遊技盤３３前面の遊技部３３ａに打ち込まれる。このうち始動入賞口４２や通常入賞口４５に入賞しなかった遊技球は、最終的にアウト球排出口４４に入ることになる。
【００１８】
前記本体枠３２の前面に形成された遊技盤収納凹部３４は前後方向の深さが遊技盤３３が嵌り込む程度の寸法を有し、底壁すなわち遊技盤取付面５０の中央部は開放している。そして、遊技盤収納凹部３４を前側から見て左側縁部の上下部に、それぞれ遊技盤３３の周縁の一側を挟んで固定する挟着部材５１，５１が取着されている。各挟着部材５１は、例えば弾性を有する金属帯板から成形され、図８に示されるように遊技盤収納凹部３４を前側から見て右側が解放する平面略コ字状に形成されている。
【００１９】
各挟着部材５１を更に詳しく説明すると、該挟着部材５１は、遊技盤収納凹部３４の一側縁面（遊技盤３３の側端面が当接する面）に対向位置して当接する中板部５１ａと、該中板部５１ａの前端縁から内側へほぼ直角に折れ曲がる前支持板部５１ｂと、該中板部５１ａの後端縁から内側へほぼ直角に折れ曲がる後支持板部５１ｃと、からなる。前支持板部５１ａの水平方向の長さを後支持板部５１ｃの長さよりも短く設定して、遊技盤３３が差し込み易いようにしている。また、前支持板部５１ｂの先端部は前側へ少し屈曲している。一方、後支持板部５１ｃは、水平方向に沿ったその中間位置に段差部５２が設けられ、該段差部５２よりも先端側５３ａが基端側５３ｂよりも前側に位置している。このとき、前支持板部５１ｂと後支持板部５１ｃの先端側５３ａとの間の寸法が、遊技盤３３の厚み寸法よりも僅かに狭まっている。
【００２０】
そして、前記遊技盤収納凹部３４を前側から見て右側縁部の上下部に、図７に示すようにそれぞれ遊技盤３３の周縁の他側を挟み固定する遊技盤固定装置１，１が取着される。すなわち、各遊技盤固定装置１は、遊技盤収納凹部３４の底面である遊技盤取付面５０に固着される。
【００２１】
次に、該各遊技盤固定装置１，１について説明する。これらはいずれも同じ形状からなるので、便宜上一方の遊技盤固定装置１について説明する。図１は本発明に係る遊技盤固定装置の斜視図、図２は同分解斜視図、図３（イ）は遊技盤固定装置の正面図、（ロ）は同作用を示す正面図、図４（イ）は図３（イ）のＸ−Ｘ線断面図、（ロ）は図３（ロ）のＹ−Ｙ線断面図である。遊技盤固定装置１は、前記遊技機本体Ｐ１における遊技盤収納凹部３４の遊技盤取付面５０の周縁部に固着される台枠２と、固定軸３により該台枠２に軸着され遊技盤取付面５０に対して直交する面内で回動し、遊技盤３３の側縁を受け入れるコ字型の受枠部材４と、該受枠部材４の背部側に隣接しかつ固定軸３と平行をなすようにして台枠２に配置される可動軸５とからなる。
【００２２】
台枠２は略Ｔ字型をなす座板２ａと、該座板２ａから立設される一対の平行な側板２ｂ，２ｂとからなり、両側板２ｂ，２ｂに対向位置し前記固定軸３が挿通して固定される軸孔６，６と可動軸５がその中心軸線に沿って自在に摺動するように挿通される通孔７，７が開設されている。座板２ａの所定の位置には、後記するビス２３を挿通するための取付孔８が設けられる。そして、遊技盤取付面５０の周縁に、両側板２ｂ，２ｂを上下に重なるように配置して座板２ａがビス締めされる。
【００２３】
受枠部材４は、前記固定軸３が挿通される一対の中央板部４ａ，４ａの一方端と他方端から同じ方向へ平行に延びる押え枠部４ｂと受板部４ｃとからコ字型に形成される。押え板部４ｂは略角筒状に形成され、中央板部４ａ，４ａと受板部４ｃ，４ｃとは一対の同じ形状からなる平行な板部からなる。押え枠部４ｂは、外側板部９の両側縁に先端側から切込み１０が設けられ、先端部が外側板部９の表面に対して外側へ傾斜している。そして、押え枠部４ｂ内側に、外側板部９と平行な内側板部１１が屈曲して設けられている。受板部４ｃの長さ寸法は、押え板部４ｂよりも短く設定されている。中央板部４ａ，４ａは、両板に前記固定軸３を挿通する軸孔１２，１２が開設されている。また、中央板部４ａ，４ａの背面縁部には押え枠部４ｂ側に切欠１３，１３が凹設され、軸孔１２，１２に対応して円弧状の凹部１４，１４が凹設されている。該各凹部１４は可動軸５に嵌る大きさを有し、その内径は可動軸５の外径とほぼ一致している。これにより、切欠１３と凹部１４とが固定軸３の中心軸線に対して直交する面内で並ぶことになる。
【００２４】
前記固定軸３には、第一弾発手段としてのネジリバネ１５が軸装される。該ネジリバネ１５は、固定軸３に巻装される一対の巻回部１６，１６の向き合う側から連続する押圧ばね部１７が延び、前記一対の巻回部１６，１６の反り合う側からそれぞれ一対の平行な当接ばね部１８，１８が延設されている。
【００２５】
前記可動軸５の両端側の外周面に、その中心軸線に対して直交する係合溝１９，１９が設けられている。そして、これら係合溝１９，１９に受枠部材４における中央板部４ａ，４ａの切欠１３，１３が係脱自在に係合する。また、凹部１４，１４は前記可動軸５の係合溝１９，１９に介入して合致する。このとき、可動軸５がその中心軸線に沿って自在に摺動し、その外周面に凹部１４，１４が嵌ることになる。可動軸５には、可動軸５の頭部５ａと前記台枠２の一方の側板２ｂとの間に第二弾発手段としての圧縮コイルバネ２０が装着される。前記各係合溝１９，１９には常に中央板部４ａ，４ａの切欠１３，１３が係合したり凹部１４，１４が介入して合致することになるので、可動軸５がその軸線方向と直交する面内で回転しないようにする必要がある。そこで、可動軸５の外周面にその中心軸線に沿って平坦面５ｂが形成される。よって、該可動軸５が挿通される両側板２ｂ，２ｂの通孔７，７は、その平坦面５ｂ，５ｂを考慮してその可動軸５の中心軸線に対して直交する断面形状とほぼ同じ形状に形成される。
【００２６】
遊技盤固定装置１は前記構成からなり、次にその組立方法を説明する。台枠２の両側板２ｂ，２ｂ間に両受板部４ｃ，４ｃを座板２ａ側に位置させて受枠部材４を配置し、更に、受枠部材４の両中央板部４ａ，４ａ間に押圧ばね部１７を座板２ａ側に位置させてネジリバネ１５を配置する。この状態で、台枠２の軸孔６，６と受枠部材４の軸孔１２，１２とネジリバネ１５の巻回部１６、６とに固定軸３を挿通し、台枠２における側板２ｂの外側で先端に設けられた環状溝３ａにＥリング２１を嵌合する。次に、可動軸５に予め圧縮コイルバネ２０を装着し、台枠２の両通孔７，７に可動軸５を挿通し、先端の環状溝５ｃにＥリング２２を嵌合する。
【００２７】
このようにして、遊技盤固定装置１が組み立てられるが、ネジリバネ１５の一端側の押圧ばね部１７にはその途中の屈曲段部１７ａが台枠２における座板２ａの周縁部に当接しており、ネジリバネ１５の他端側の当接ばね部１８は受枠部材４における押え枠部４ｂの内面に当接する。これにより、受枠部材４がネジリバネ１５によって台枠２の座板２ａから離れるように付勢される。また、押圧ばね部１７の先端部は、受枠部材４に遊技盤３３の側縁が嵌合したとき該遊技盤３３の裏面３３ｂに当接し遊技盤３３のガタをなくすことができる。
【００２８】
一方、受枠部材４における中央板部４ａ，４ａの外縁の切欠１３，１３や凹部１４，１４が、可動軸５の両側に設けられた係合溝１９，１９と向かい合うように同じ側に位置することになる。また、可動軸５は、常に圧縮コイルバネ２０によりその中心軸線に沿って一方へ付勢される。そこで、図３（イ）、図４（イ）に示すようにネジリバネ１５の付勢により受枠部材４が台枠２の座板２ａから離れるように付勢されているときは、受枠部材４の両切欠１３，１３が可動軸５の両係合溝１９，１９に一部入り係合している。このとき、可動軸５は圧縮コイルバネ２０の付勢に抗しその中心軸線に沿って該圧縮コイルバネ２０の設けられている側とは反対側へ摺動し停止している。
【００２９】
この状態で、図３（ロ）、図４（ロ）に示すようにネジリバネ１５の付勢に抗して受枠部材４を台枠２の座板２ａ側へ回動させると、受枠部材４における中央板部４ａ，４ａの凹部１４，１４が前記可動軸５に位置的に合致すると共に可動軸５がその中心軸線に沿って自在に摺動するようになり、該可動軸５が圧縮コイルバネ２０の付勢によりその中心軸線に沿って該圧縮コイルバネ２０の設けられている側へ付勢される。これにより、両凹部１４，１４に可動軸５の外周面が嵌り、押え枠部４ｂが台枠２の座板２ａとほぼ平行となる位置で受枠部材４が固定されるようになる。また、このときネジリバネ１５における押圧ばね部１７先端と押え枠部４ｂの内側面との間隔は、遊技盤３３の厚み寸法よりも少し短く設定される。これは、該押圧ばね部１７により遊技盤３３の裏面３３ｂを押すためである。
【００３０】
本発明にあっては、例えば図６、図７に示すように、遊技盤収納凹部３４の正面から向かって右側の周縁部の上下部にそれぞれ一個ずつ遊技盤固定装置１が配置される。そして、図７、図９に示すように遊技盤収納凹部３４の遊技盤取付面５０に台枠２の座板２ａの裏面を当接すると共に各取付孔８にビス２３を挿通してネジ止めする。受枠部材４は固定軸３を中心として水平面内で回動、すなわち、遊技盤取付面５０に対して直交する面内で回動する。また、受枠部材４の押え枠部４ｂが遊技盤収納凹部３４を正面から見てその左側を向き、可動軸５がその反対側に位置するようにして各遊技盤固定装置１が固着される。
【００３１】
次に、本発明が適用されるパチンコ遊技機に遊技盤を装着する方法を説明する。図８（イ）（ロ）は遊技盤の一側縁を押込む状態を示す遊技盤収納凹部の平面図である。まず、パチンコ遊技機Ｐの透明板保持枠３０を開け、各遊技盤固定装置１，１の受枠部材４を遊技盤取付面５０から離れるように前側へ回動し遊技盤３３が受け入れられるようにしておく。また、このとき、受枠部材４の両切欠１３，１３が可動軸５の両係合溝１９，１９に係合し、圧縮コイルばね２０が圧縮され可動軸５が下方へ摺動して押し下げられた状態で停止している。
【００３２】
そこで、裏面３３ｂが遊技盤取付面５０に対向するようにして遊技盤３３を遊技盤収納凹部３４の下縁段部３４ａの上面に乗せる。そして、図８（イ）に示すように遊技盤収納凹部３４を正面から見て左側に取着される上下の挟着部材５１，５１内に遊技盤３３の一側縁を押込む。更に、その一側縁側を中心として遊技盤３３の他側縁を遊技盤収納凹部３４の遊技盤取付面５０に近づけ、図９（イ）、図１０（イ）に示すようにその他側縁を各遊技盤固定装置１における受枠部材４の受板部４ｃに軽く当接させる。
【００３３】
次に前記状態で、遊技盤３３の他側縁を後方すなわち遊技盤取付面５０側へ押し込む。これにより、図９（ロ）、図１０（ロ）に示すように遊技盤３３の他側縁が各遊技盤固定装置１における受枠部材４の押え枠部４ｂと受板部４ｃ，４ｃとの間に介在すると共に、受枠部材４がネジリバネ１５の付勢に抗して遊技盤取付面５０側へ回動する。また、可動軸５における両係合溝１９，１９と受枠部材４における切欠１３，１３との係合が解かれ、両凹部１４，１４と可動軸５とが位置的に合致し該可動軸５の中心軸線に沿った摺動動作が自由になる。更に、該可動軸５は圧縮コイルバネ２０の付勢により上方へ摺動し台枠２の上部の側板２ｂから上方へ高く突出し、両凹部１４，１４が可動軸５の外周面に嵌る。
【００３４】
そして、受枠部材４が固定されると共に、遊技盤３３の裏面３３ｂにはネジリバネ１５の押圧バネ部１７が当接して該遊技盤３３を前側へ押す。これにより、遊技盤３３が押え枠部４ｂと押圧ばね部１７とに挟まれ、ガタつくことなくしっかりと固定される。また、遊技盤３３の一側縁は図８（ロ）に示すように挟着部材５１における前支持板部５１ｂと後支持板部５１ｃの先端側５３ａとの間で挟まれ、しかも、後支持板部５１ｃの先端側５３ａがその弾性により遊技盤３３を前方へ押すことになる。よって、前支持板部５１ｂとの間で遊技盤３３がしっかりと固定される。このようにして、図１１に示すように遊技機本体Ｐ１の前面に遊技盤３３がスムーズに装着される。
【００３５】
次に、パチンコ遊技機Ｐの前側から遊技盤３３を取り外す場合について説明する。図８（ロ）、図９（ロ）、図１０（ロ）に示すように遊技盤３３が遊技盤収納凹部３４に収納され、各遊技盤固定装置１における可動軸５が圧縮コイルバネ２０の付勢により台枠２の上部の側板２ｂの上方へ摺動し高く突出している状態で、図１０（ロ）矢印に示すように各遊技盤固定装置１の可動軸５の頭部５ａを下方へ押す。これにより、該可動軸５は下方へ摺動する。そして、受枠部材４における両凹部１４，１４が可動軸５の両係合溝１９，１９に介入して合致すると、可動軸５の外周面と受枠部材４の凹部１４，１４との嵌合が外れ受枠部材４が自由に回動するようになってネジリバネ１５の付勢により遊技盤取付面５０から離れるように回動する。これに伴い、図９（イ）、図１０（イ）に示すように遊技盤３３の他側縁が受枠部材４の受板部４ｃ，４ｃにより押され前側へ押し出される。このようにして他側縁が前側へ押出された遊技盤３３をその他側縁側へ引き、一側縁を挟着部材５１から引き出す。これにより、装着されていた遊技盤３３を遊技盤収納凹部３４から取り外すことができる。なお、遊技盤収納凹部３４に再度遊技盤３３を収納して装着するには、前記と同じ方法により行なう。
【００３６】
このように、本発明の遊技盤固定装置１にあっては、可動軸５を圧縮コイルバネ２０の付勢に抗しその中心軸線に沿って摺動させたときは、可動軸５の係合溝１９と受枠部材４の凹部１４が合致して該受枠部材４がネジリバネ１５により回動すると共に該可動軸５の係合溝１９が該受枠部材４の切欠１３に係合する。また、受枠部材４をネジリバネ１５の付勢に抗して回動させたときは、可動軸５の係合溝１９と受枠部材４の切欠１３との係合が外れると共に該可動軸５の係合溝１９と該受枠部材４の凹部１４とが合致して該可動軸５が圧縮コイルバネ２０の付勢によりその中心軸線に沿って摺動し該受枠部材４の凹部１４が該可動軸５に嵌合する。これにより、遊技盤３３の収納がその側縁を受枠部材４に受け止めさせるようにして押し込むのみで済み、余分な注意を払わずにスムーズに行なえる。また、可動軸５を指先で押すのみで可動軸５と受枠部材４との係合が外れると共に遊技盤３３がその側縁を前側に押出されるので、該遊技盤３３の固定の解除及び取り外しが極めて簡単に行なえる。
【００３７】
また、可動軸５を指先で押すのみで可動軸５と受枠部材４との係合が外れると共に遊技盤３３がその側縁を前側に押出されるので、該遊技盤３３の固定の解除及び取り外しが極めて簡単に行なえるばかりか、他の個所を余り手で触れる必要もないことから、怪我をするといった心配も少なくなる。
【００３８】
更に、前記受枠部材４が遊技盤収納凹部３４に収納された遊技盤３３の側縁を受け入れたとき、ネジリバネ１５の一端が遊技盤３３の裏面３３ｂに当接してその裏面３３ｂを押圧する。よって、遊技盤３３の側縁が受枠部材４とネジリバネ１５とで挟まれ、遊技盤３３がしっかりと固定されることになる。
【符号の説明】
【００３９】
１              遊技盤固定装置
２              台枠
３              固定軸
４              受枠部材
５              可動軸
１３            切欠
１４            凹部
１５            第一弾発手段（ネジリバネ）
１９            係合溝
２０            圧縮コイルバネ
３３            遊技盤
３４            遊技盤収納凹部
５０            遊技盤取付面
Ｐ              遊技機（パチンコ遊技機）
Ｐ１            遊技機本体
【図１】
2012080946.tif 000003
【図２】
2012080946.tif 000004
【図３】
2012080946.tif 000005
【図４】
2012080946.tif 000006
【図５】
2012080946.tif 000007
【図６】
2012080946.tif 000008
【図７】
2012080946.tif 000009
【図８】
2012080946.tif 000010
【図９】
2012080946.tif 000011
【図１０】
2012080946.tif 000012
【図１１】
2012080946.tif 000013
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
遊技機本体の遊技盤収納凹部に遊技盤を着脱自在に装着するために使用する遊技盤固定装置であって、
前記遊技機本体における遊技盤収納凹部の周縁部に固着される台枠と、
固定軸により前記台枠に軸着され前記遊技盤収納凹部の遊技盤取付面に対して直交する面内で回動すると共に常に第一弾発手段により該遊技盤取付面から離れるように付勢され、遊技盤の側縁を受け入れるコ字型の受枠部材と、
前記受枠部材の背部側に隣接しかつ前記固定軸と平行をなすようにして前記台枠に配置される可動軸と、からなり、
前記可動軸はその中心軸線に沿って自在に摺動すると共に第二弾発手段により常に一方向へ付勢され、
前記受枠部材の背部に前記固定軸の中心軸線に対して直交する面内で並ぶ切欠と凹部とを設けると共に前記可動軸に該切欠と凹部に向かい合うようにして係合溝を設け、
前記可動軸を第二弾発手段の付勢に抗しその中心軸線に沿って摺動させたときは、前記可動軸の係合溝と前記受枠部材の凹部が合致して該受枠部材が第一弾発手段により回動すると共に該可動軸の係合溝が該受枠部材の切欠に係合し、
前記受枠部材を第一弾発手段の付勢に抗して回動させたときは、前記可動軸の係合溝と前記受枠部材の切欠との係合が外れると共に該可動軸の係合溝と該受枠部材の凹部とが合致して該可動軸が第二弾発手段の付勢によりその中心軸線に沿って摺動し該受枠部材の凹部が該可動軸に嵌合する構成としたことを特徴とする遊技盤固定装置。
【請求項２】
第一弾発手段は固定軸に巻装されるネジリバネであって、前記受枠部材が遊技盤収納凹部に収納された遊技盤の側縁を受け入れたとき、前記ネジリバネの一端が前記遊技盤の裏面に当接してその裏面を押圧するようにした請求項１記載の遊技盤固定装置。
【手続補正２】
【補正対象書類名】明細書
【補正対象項目名】０００８
【補正方法】変更
【補正の内容】
【０００８】
かかる目的を達成するため本発明の遊技盤固定装置は、遊技機本体の遊技盤収納凹部に遊技盤を着脱自在に装着するために使用する遊技盤固定装置であって、前記遊技機本体における遊技盤収納凹部の周縁部に固着される台枠と、固定軸により前記台枠に軸着され前記遊技盤収納凹部の遊技盤取付面に対して直交する面内で回動すると共に常に第一弾発手段により該遊技盤取付面から離れるように付勢され、遊技盤の側縁を受け入れるコ字型の受枠部材と、前記受枠部材の背部側に隣接しかつ前記固定軸と平行をなすようにして前記台枠に配置される可動軸と、からなり、前記可動軸はその中心軸線に沿って自在に摺動すると共に第二弾発手段により常に一方向へ付勢され、前記受枠部材の背部に前記固定軸の中心軸線に対して直交する面内で並ぶ切欠と凹部とを設けると共に前記可動軸に該切欠と凹部に向かい合うようにして係合溝を設け、前記可動軸を第二弾発手段の付勢に抗しその中心軸線に沿って摺動させたときは、前記可動軸の係合溝と前記受枠部材の凹部が合致して該受枠部材が第一弾発手段により回動すると共に該可動軸の係合溝が該受枠部材の切欠に係合し、前記受枠部材を第一弾発手段の付勢に抗して回動させたときは、前記可動軸の係合溝と前記受枠部材の切欠との係合が外れると共に該可動軸の係合溝と該受枠部材の凹部とが合致して該可動軸が第二弾発手段の付勢によりその中心軸線に沿って摺動し該受枠部材の凹部が該可動軸に嵌合する構成としたことを特徴とする。
【手続補正３】
【補正対象書類名】明細書
【補正対象項目名】０００９
【補正方法】変更
【補正の内容】
【０００９】
第一弾発手段は固定軸に巻装されるネジリバネであって、前記受枠部材が遊技盤収納凹部に収納された遊技盤の側縁を受け入れたとき、前記ネジリバネの一端が前記遊技盤の裏面に当接してその裏面を押圧するようにすることが好ましい。